(57)【要約】【課題】卵殻から取出された卵黄及び卵白に関して、卵黄を卵白から分離した状態で抽出するための卵黄抽出器具を提供する。【解決手段】卵黄を収容可能とする収容室(7)を有すると共に該収容室を収縮自在とする弾性材により形成された中空体(2)と、前記中空体の開口部(8)に着脱自在に挿着される環状の栓体(3)により構成された容器(1)により構成され、卵殻から取出された卵黄及び卵白に関して、卵黄(E1)を卵白(E2)から分離した状態で抽出する器具であり、前記中空体の開口部(8)は、卵黄の直径よりも大径に形成され、前記栓体(3)は、前記収容室に連通すると共に卵黄の直径よりも小径かつ卵黄を通過自在とした吸引口(12)を先端に設けており、収容室(7)を収縮状態から膨張させることにより、卵黄(E1)を栓体(3)の吸引口(12)に密着状態で通過させると共に収容室(7)に向けて吸引するように構成している。【選択図】図４
2018122018.tif 000002
【特許請求の範囲】
【請求項１】
卵殻から取出された卵黄及び卵白に関して、卵黄(E1)を卵白(E2)から分離した状態で抽出する器具であり、
卵黄を収容可能とする収容室(7)を有すると共に該収容室を収縮自在とする弾性材により形成された容器(1)を備え、前記容器の頂部に位置して前記収容室を開口すると共に卵黄の直径よりも小径かつ卵黄を通過自在とした吸引口(12)を設けており、
前記容器(1)を押圧することにより収容室(7)を収縮させた状態で前記吸引口(12)を卵黄(E1)に当接させ、前記押圧を減じて収容室(7)を膨張させることにより、卵黄(E1)を吸引口(12)に密着状態で通過させると共に収容室(7)に向けて吸引するように構成して成ることを特徴とする卵黄抽出器具。
【請求項２】
卵黄を収容可能とする収容室(7)を有すると共に該収容室を収縮自在とする弾性材により形成された中空体(2)と、前記中空体の開口部(8)に着脱自在に挿着される環状の栓体(3)により構成された容器(1)により構成され、卵殻から取出された卵黄及び卵白に関して、卵黄(E1)を卵白(E2)から分離した状態で抽出する器具であり、
前記中空体の開口部(8)は、卵黄の直径よりも大径に形成され、前記栓体(3)は、前記収容室に連通すると共に卵黄の直径よりも小径かつ卵黄を通過自在とした吸引口(12)を先端に設けており、
前記中空体(2)を押圧することにより収容室(7)を収縮させた状態で前記吸引口(12)を卵黄(E1)に当接させ、前記押圧を減じて収容室(7)を膨張させることにより、卵黄(E1)を吸引口(12)に密着状態で通過させると共に収容室(7)に向けて吸引するように構成して成ることを特徴とする卵黄抽出器具。
【請求項３】
前記中空体(2)の開口部(8)の周囲の肉厚を分厚くすることにより保形周壁部(9)を形成して成ることを特徴とする請求項２に記載の卵黄抽出器具。
【請求項４】
前記中空体(2)及び栓体(3)は、それぞれ異なる硬さのゴムにより形成されており、中空体(2)のゴム硬度に対して栓体(3)のゴム硬度を高い硬度として構成して成ることを特徴とする請求項２又は３に記載の卵黄抽出器具。
【請求項５】
前記中空体(2)の開口部(8)の内周面と、前記開口部に挿着される栓体(3)の環状壁部(10)の外周面の相互に、嵌脱自在な複数条の嵌着溝(13)と嵌着リブ(14)を周設して成ることを特徴とする請求項２、３又は４に記載の卵黄抽出器具。
【発明の詳細な説明】
【技術分野】
【０００１】
本発明は、卵殻から取出された卵黄及び卵白に関して、卵黄を卵白から分離した状態で抽出するための卵黄抽出器具に関する。
【背景技術】
【０００２】
一般家庭において卵を使用した食材を調理する際、卵黄と卵白を分離し、その一方だけを食材として調理する場合がある。このような場合、卵殻から取出された卵黄及び卵白を皿の上に載せ、箸等の先端で卵黄と卵白を分離するのが通例であるが、その作業が煩雑である。しかも、食材として卵黄だけ必要とする場合であっても、分離したつもりの卵黄に多少なりとも卵白が付着しているので、所期目的を完遂することができない。
【０００３】
そこで、従来、卵殻から取出された卵黄及び卵白を容器に入れ、卵白を容器の外部に流出させることにより、容器の内部に卵黄を残存させる器具が提案されている。
【先行技術文献】
【特許文献】
【０００４】
【特許文献１】特開２００７−２１１２９号公報
【特許文献２】特開２００７−２９６２５５号公報
【発明の概要】
【発明が解決しようとする課題】
【０００５】
特許文献に示される従来の器具は、卵白を容器の外部に完全に流出させることができるならば問題はないが、実際には、容器の内部に卵黄と共に卵白が多少残留するので、所期目的を完遂することは困難である。特に、残留した卵白は肉眼では視認し難いので、卵白と卵黄が完全分離されたかどうかを確認することも困難である。
【０００６】
本発明は、卵黄から卵白を分離させるのではなく、卵白から卵黄を抽出することにより分離させ、しかも、卵黄を抽出する際、該卵黄の直径よりも狭い吸引口を密着状態で通過させることにより、卵黄を卵白から完全分離させることが望ましいことを知見し、これを実現した卵黄抽出器具を提供するものである。
【課題を解決するための手段】
【０００７】
そこで、本発明が手段として構成したところは、卵殻から取出された卵黄及び卵白に関して、卵黄を卵白から分離した状態で抽出する器具であり、卵黄を収容可能とする収容室を有すると共に該収容室を収縮自在とする弾性材により形成された容器を備え、前記容器の頂部に位置して前記収容室を開口すると共に卵黄の直径よりも小径かつ卵黄を通過自在とした吸引口を設けており、前記容器を押圧することにより収容室を収縮させた状態で前記吸引口を卵黄に当接させ、前記押圧を減じて収容室を膨張させることにより、卵黄を吸引口に密着状態で通過させると共に収容室に向けて吸引するように構成して成る点にある。
【０００８】
この際、本発明の卵黄抽出器具は、特徴的には、卵黄を収容可能とする収容室を有すると共に該収容室を収縮自在とする弾性材により形成された中空体と、前記中空体の開口部に着脱自在に挿着される環状の栓体により構成された容器であり、前記中空体の開口部は、卵黄の直径よりも大径に形成され、前記栓体は、前記収容室に連通すると共に卵黄の直径よりも小径かつ卵黄を通過自在とした吸引口を先端に設けており、前記中空体を押圧することにより収容室を収縮させた状態で前記吸引口を卵黄に当接させ、前記押圧を減じて収容室を膨張させることにより、卵黄を吸引口に密着状態で通過させると共に収容室に向けて吸引するように構成している。
【０００９】
本発明の好ましい実施形態は、前記中空体の開口部の周囲の肉厚を分厚くすることにより保形周壁部を形成している。
【００１０】
前記中空体及び栓体は、それぞれ異なる硬さのゴムにより形成されており、中空体のゴム硬度に対して栓体のゴム硬度を高い硬度とするように構成することが好ましい。
【００１１】
前記中空体の開口部の内周面と、前記開口部に挿着される栓体の環状壁部の外周面の相互に、嵌脱自在な複数条の嵌着溝と嵌着リブを周設することが好ましい。
【発明の効果】
【００１２】
本発明によれば、卵殻から取出された卵黄Ｅ１及び卵白Ｅ２に関して、容器１ないし中空体２の周壁６を指先で摘まんで押圧することにより弾性変形させ、収容室７を収縮した状態で吸引口１２を卵黄Ｅ１に当接させた後、前記指先による押圧を減じ、周壁６の弾性復元により収容室７を収縮状態から復元形状に向けて膨張することにより、卵黄Ｅ１を吸引口１２に密着状態で通過させ、収容室７に吸引し収容することができる。従って、簡単容易に卵白Ｅ２から卵黄Ｅ１だけを抽出し、しかも、卵黄Ｅ１を卵白Ｅ２から確実に分離させることができる利点がある。
【００１３】
特に、本発明は、卵黄Ｅ１を瓢箪形に変形させながら吸引口１２を密着状態で通過させる構成であるから、卵黄Ｅ１に付着した卵白Ｅ２を吸引口１２の内周縁１２ａにより好適に削ぎ落とすことができ、卵白Ｅ２をほとんど付着していない卵黄Ｅ１だけを収容室７に収容させることが可能になるという優れた効果がある。
【図面の簡単な説明】
【００１４】
【図１】本発明の１実施形態を示しており、（Ａ）は外観を示す正面図、（Ｂ）は中央縦断面図である。
【図２】本発明の１実施形態に係る卵黄抽出器具を分解状態で示す断面図である。
【図３】卵黄抽出器具の使用方法に関して、卵殻から取出された卵黄及び卵白に対して、ユーザが中空体を押圧変形させて吸引口を卵黄に近づけている状態を示す断面図である。
【図４】卵黄抽出器具の使用方法に関して、卵黄を吸引口に吸引中の状態を示しており、（Ａ）は全体を示す断面図、（Ｂ）は部分拡大を示す断面図である。
【図５】卵黄抽出器具の使用方法に関して、吸引した卵黄が収容室に収容された状態を示す断面図である。
【発明を実施するための形態】
【００１５】
以下図面に基づいて本発明の好ましい実施形態を詳述する。
【００１６】
図１及び図２に示すように、卵黄抽出器具の全体を構成する容器１は、中空体２と、栓体３と、キャップ４により構成され、それぞれ合成ゴム又は天然ゴム、好ましくはシリコーンゴムにより成形されている。この際、容器１は、中空体２と栓体３とキャップ４を結合した状態で、図示のように、全体形状により卵殻と同様の外観を表すように形成することが好ましい。
【００１７】
前記中空体２は、底壁５と周壁６により卵黄を収容可能とする収容室７を形成し、上部に卵黄の直径よりも大径の内径Ｄ１とされた開口部８を備えると共に、該開口部８の周囲の肉厚を分厚くすることにより保形周壁部９を形成している。
【００１８】
上述のように中空体２は、シリコーンゴムによるゴム等の弾性材により成形されており、従って、ユーザが指先で摘まむことにより周壁６を押圧して弾性変形すると、収容室７が収縮され、その後、前記押圧を減じると、周壁６が弾性復元することにより、収容室７が収縮状態から復元形状まで膨張する。このように周壁６が容易に弾性変形するのに対して、保形周壁部９は、容易に変形せず、前記収容室７の収縮と膨張を繰り返して行うときでも、その間、図示のような原形を保持するように構成されている。
【００１９】
前記栓体３は、前記開口部８に着脱自在に挿着される環状壁部１０と、該環状壁部１０から次第に外径を減じながら延びる狭窄壁部１１を形成し、狭窄壁部１１の先端に卵黄の直径よりも小径かつ卵黄を通過自在とする内径Ｄ２とされた吸引口１２を開口している。従って、環状壁部１０を中空体２の開口部８に挿着した状態で、吸引口１２と中空体２の収容室７が相互に連通する。
【００２０】
上述のように栓体３は、シリコーンゴムによるゴム等の弾性材により成形されており、この際、中空体２と栓体３のそれぞれを異なる硬さのゴムにより形成し、中空体２のゴム硬度に対して、栓体３のゴム硬度を高い硬度とするように構成することが好ましい。つまり、中空体２の周壁６が容易に弾性変形するのに対して、栓体３は、容易に変形せず、前記収容室７の収縮と膨張を繰り返して行うときでも、その間、図示のような原形を保持するように構成されていることが好ましい。従って、栓体３は、このように相対的に硬いゴムで成形する他、必ずしも弾性材により形成することは必要でなく、ポリプロピレン等の可撓性プラスチックにより成形しても良い。
【００２１】
ところで、吸引口１２は、後述のように、卵黄を密着状態で通過させるので、その通過の際に卵黄を損傷させないように構成することが望ましい。そのためには、栓体３は、シリコーンゴムによるゴム等の弾性材により形成することが好ましく、更には、図示のように吸引口１２の内周縁１２ａに丸みを形成することが好ましい。
【００２２】
好ましい実施形態において、前記中空体２の開口部８の内周面と、該開口部８に挿着される栓体３の環状壁部１０の外周面の相互には、嵌脱自在な複数条の嵌着溝１３ａ、１３ｂと嵌着リブ１４ａ、１４ｂが周設されている。このため、環状壁部１０を開口部８に圧入すると、嵌着溝１３ａと嵌着リブ１４ａの相互と、嵌着溝１３ｂと嵌着リブ１４ｂの相互がそれぞれ無理嵌め状態で密着し、中空体２の周壁６を強くかつ大きく弾性変形させたときでも、開口部８と環状壁部１０の間に隙間が発生しないように構成することが好ましい。
【００２３】
前記キャップ４は、栓体３の吸引口１２に挿脱自在に挿着される挿着部１５と、前記吸引口１２を閉塞する閉塞部１６と、該閉塞部１６から外向きに突設された摘み片１７を備えている。キャップ４は、上述のようにシリコーンゴムによるゴム等の弾性材により成形することが好ましく、これにより、挿着部１５を吸引口１２に圧入したとき、相互の弾性的接触ないし摩擦抵抗により、挿着状態を保持する。
【００２４】
図３ないし図５は、中空体２の開口部８に栓体３の環状壁部１０を挿着した容器１により構成された卵黄抽出器具の使用法を示している。
【００２５】
図３に示すように、ユーザは、割殻した卵殻から取出した卵黄Ｅ１及び卵白Ｅ２を皿等の食器に載せた後、中空体２の周壁６を指先で摘まんで押圧することにより弾性変形させ、収容室７を収縮した状態で、吸引口１２を卵黄Ｅ１に臨ませる。
【００２６】
吸引口１２を卵黄Ｅ１に当接させた後、図４に示すように、前記指先による押圧を減じると、周壁６が弾性復元することにより、収容室７が収縮状態から復元形状まで膨張する。これにより、卵黄Ｅ１は、吸引口１２の内周縁１２ａに密着した状態で、図示のように瓢箪形に変形させられながら吸引される。
【００２７】
上述のように、中空体２の開口部８の周囲には保持周壁部９が形成され、栓体３の環状壁部１０は弾性変形し難い硬度のゴムにより形成され、しかも、開口部８と環状壁部１０は相互に複数条の嵌着溝１３ａ、１３ｂと嵌着リブ１４ａ、１４ｂを密着状態で嵌着しているので、周壁６を弾性復元して収容室７を膨張させている間、外気が吸引されるような隙間が発生することはなく、卵黄Ｅ１を好適に吸引することができる。
【００２８】
しかも、栓体３をゴムにより形成すると共に吸引口１２の内周縁１２ａに丸みを形成しておけば、瓢箪形に変形させられる卵黄Ｅ１の薄膜裂傷等の損傷を生じることはなく、卵黄Ｅ１を吸引口１２に密着状態で通過させることができ、このため、卵黄Ｅ１に付着した卵白Ｅ２は、吸引口１２の内周縁１２ａにより好適に削ぎ落とされる。
【００２９】
その結果、図５に示すように、卵白Ｅ２から完全分離された卵黄Ｅ１だけが無傷の状態で収容室７に吸引され、これにより、卵黄Ｅ１の抽出作業が終了する。
【００３０】
図示省略しているが、卵黄Ｅ１を調理に供する際は、中空体２から栓体３を取外せば該中空体２の開口部８が開放されるので、該開口部８を介して収容室７から卵黄Ｅ１を脱出させ所望の調理器に移すことができる。
【００３１】
尚、使用後は、中空体２と栓体３を分離した状態で、外側面及び内側面を簡単容易に洗浄することができるので、洗浄後、再び中空体２に栓体３を装着すると共に、吸引口１２をキャップ４により閉蓋した状態で、保管すれば良い。
【符号の説明】
【００３２】
１  容器
２  中空体
３  栓体
４  キャップ
５  底壁
６  周壁
７  収容室
８  開口部
９  保形周壁部
１０  環状壁部
１１  狭窄壁部
１２  吸引口
１２ａ  内周縁
１３ａ、１３ｂ  嵌着溝
１４ａ、１４ｂ  嵌着リブ
Ｅ１  卵黄
Ｅ２  卵白
【図１】
2018122018.tif 000003
【図２】
2018122018.tif 000004
【図３】
2018122018.tif 000005
【図４】
2018122018.tif 000006
【図５】
2018122018.tif 000007
【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
卵黄を収容可能とする収容室(7)を収縮自在とする周壁(6)を有すると共に開口部(8)の周囲に厚肉の保形周壁部(9)を有する弾性ゴム製の中空体(2)と、前記中空体の開口部(8)に着脱自在に挿着される環状壁部(10)を有する弾性ゴム製の栓体(3)を備え、中空体に栓体を挿着した状態で全体外形を卵殻形状とした容器(1)により構成され、卵殻から取出された卵黄及び卵白に関して、卵黄(E1)を卵白(E2)から分離した状態で抽出する器具であり、
前記中空体の開口部(8)は、卵黄の直径よりも大径に形成され、前記栓体(3)は、前記収容室に連通すると共に卵黄の直径よりも小径かつ卵黄を通過自在とした吸引口(12)を先端に設けており、
前記中空体の保形周壁部(9)と前記栓体の環状壁部(10)の断面形状に関して、外側表面は卵殻形状を表す半径Ｒ１で規定される円弧に沿って連なり、内側表面は、前記半径Ｒ１よりも小さい半径Ｒ２で規定される円弧Ｕに沿って連なるように形成することにより、保形周壁部(9)と環状壁部(10)に跨って内側に膨隆する厚肉部(1a)を形成し、相互に嵌着される開口部(8)の内周面(8a)と環状壁部(10)の外周面(10a)を容器の中心軸線(C)と平行して前記厚肉部(1a)を縦断するライン(L)に沿わせて形成しており、
前記中空体(2)の周壁(6)を圧縮するように押圧したとき、前記厚肉部(1a)を変形せずに収容室(7)が収縮され、前記吸引口(12)を卵黄(E1)に当接させた状態で前記押圧を減じて収容室(7)を膨張させることにより、卵黄(E1)を吸引口(12)に密着状態で通過させると共に収容室(7)に向けて吸引するように構成して成ることを特徴とする卵黄抽出器具。
【請求項２】
前記中空体(2)及び栓体(3)は、それぞれ異なる硬さのゴムにより形成されており、中空体(2)のゴム硬度に対して栓体(3)のゴム硬度を高い硬度として構成して成ることを特徴とする請求項１に記載の卵黄抽出器具。
【請求項３】
前記中空体(2)の開口部(8)の内周面(8a)と、前記栓体(3)の環状壁部(10)の外周面(10a)の相互に、嵌脱自在な複数条の嵌着溝(13)と嵌着リブ(14)を周設して成ることを特徴とする請求項１又は２に記載の卵黄抽出器具。
【手続補正２】
【補正対象書類名】明細書
【補正対象項目名】全文
【補正方法】変更
【補正の内容】
【発明の詳細な説明】
【技術分野】
【０００１】
本発明は、卵殻から取出された卵黄及び卵白に関して、卵黄を卵白から分離した状態で抽出するための卵黄抽出器具に関する。
【背景技術】
【０００２】
一般家庭において卵を使用した食材を調理する際、卵黄と卵白を分離し、その一方だけを食材として調理する場合がある。このような場合、卵殻から取出された卵黄及び卵白を皿の上に載せ、箸等の先端で卵黄と卵白を分離するのが通例であるが、その作業が煩雑である。しかも、食材として卵黄だけ必要とする場合であっても、分離したつもりの卵黄に多少なりとも卵白が付着しているので、所期目的を完遂することができない。
【０００３】
そこで、従来、卵殻から取出された卵黄及び卵白を容器に入れ、卵白を容器の外部に流出させることにより、容器の内部に卵黄を残存させる器具が提案されている。
【先行技術文献】
【特許文献】
【０００４】
【特許文献１】特開２００７−２１１２９号公報
【特許文献２】特開２００７−２９６２５５号公報
【発明の概要】
【発明が解決しようとする課題】
【０００５】
特許文献に示される従来の器具は、卵白を容器の外部に完全に流出させることができるならば問題はないが、実際には、容器の内部に卵黄と共に卵白が多少残留するので、所期目的を完遂することは困難である。特に、残留した卵白は肉眼では視認し難いので、卵白と卵黄が完全分離されたかどうかを確認することも困難である。
【０００６】
本発明は、卵黄から卵白を分離させるのではなく、卵白から卵黄を抽出することにより分離させ、しかも、卵黄を抽出する際、該卵黄の直径よりも狭い吸引口を密着状態で通過させることにより、卵黄を卵白から完全分離させることが望ましいことを知見し、これを実現した卵黄抽出器具を提供するものである。
【課題を解決するための手段】
【０００７】
そこで、本発明が手段として構成したところは、卵殻から取出された卵黄及び卵白に関して、卵黄を卵白から分離した状態で抽出する器具であり、卵黄を収容可能とする収容室を収縮自在とする周壁を有すると共に開口部の周囲に厚肉の保形周壁部を有する弾性ゴム製の中空体と、前記中空体の開口部に着脱自在に挿着される環状壁部を有する弾性ゴム製の栓体を備え、中空体に栓体を挿着した状態で全体外形を卵殻形状とした容器により構成され、前記中空体の開口部は、卵黄の直径よりも大径に形成され、前記栓体は、前記収容室に連通すると共に卵黄の直径よりも小径かつ卵黄を通過自在とした吸引口を先端に設けており、前記中空体の保形周壁部と前記栓体の環状壁部の断面形状に関して、外側表面は卵殻形状を表す半径Ｒ１で規定される円弧に沿って連なり、内側表面は、前記半径Ｒ１よりも小さい半径Ｒ２で規定される円弧Ｕに沿って連なるように形成することにより、保形周壁部と環状壁部に跨って内側に膨隆する厚肉部を形成し、相互に嵌着される開口部の内周面と環状壁部の外周面を容器の中心軸線と平行して前記厚肉部を縦断するラインに沿わせて形成しており、前記中空体の周壁を圧縮するように押圧したとき、前記厚肉部を変形せずに収容室が収縮され、前記吸引口を卵黄に当接させた状態で前記押圧を減じて収容室(7)を膨張させることにより、卵黄を吸引口に密着状態で通過させると共に収容室に向けて吸引するように構成されて成る点にある。
【０００８】
前記中空体及び栓体は、それぞれ異なる硬さのゴムにより形成されており、中空体のゴム硬度に対して栓体のゴム硬度を高い硬度とするように構成することが好ましい。
【０００９】
前記中空体の開口部の内周面と、前記栓体の環状壁部の外周面の相互に、嵌脱自在な複数条の嵌着溝と嵌着リブを周設することが好ましい。
【発明の効果】
【００１０】
本発明によれば、卵殻から取出された卵黄Ｅ１及び卵白Ｅ２に関して、容器１ないし中空体２の周壁６を指先で摘まんで押圧することにより弾性変形させ、収容室７を収縮した状態で吸引口１２を卵黄Ｅ１に当接させた後、前記指先による押圧を減じ、周壁６の弾性復元により収容室７を収縮状態から復元形状に向けて膨張することにより、卵黄Ｅ１を吸引口１２に密着状態で通過させ、収容室７に吸引し収容することができる。従って、簡単容易に卵白Ｅ２から卵黄Ｅ１だけを抽出し、しかも、卵黄Ｅ１を卵白Ｅ２から確実に分離させることができる利点がある。
【００１１】
特に、本発明は、卵黄Ｅ１を瓢箪形に変形させながら吸引口１２を密着状態で通過させる構成であるから、卵黄Ｅ１に付着した卵白Ｅ２を吸引口１２の内周縁１２ａにより好適に削ぎ落とすことができ、卵白Ｅ２をほとんど付着していない卵黄Ｅ１だけを収容室７に収容させることが可能になるという優れた効果がある。この際、吸引口１２は、弾性ゴム製の栓体３により形成されているので、吸引中の卵黄Ｅ１を損傷することがない。
【００１２】
更に、容器１は、弾性ゴム製の中空体２に弾性ゴム製の栓体３を着脱自在に挿着することにより構成されているので、卵黄Ｅ１を調理に供する際は、中空体２から栓体３を取外せば該中空体２の開口部８が開放され、該開口部８を介して収容室７から卵黄Ｅ１を脱出させ所望の調理器に移すことができ、しかも、使用後は、中空体２と栓体３を分離した状態で、外側面及び内側面を簡単容易に洗浄することができる。
【００１３】
この際、中空体９の保形周壁部９と栓体３の環状壁部１０の断面形状に関して、外側表面は卵殻形状を表す半径Ｒ１で規定される円弧に沿って連なり、内側表面は、前記半径Ｒ１よりも小さい半径Ｒ２で規定される円弧Ｕに沿って連なるように形成することにより、保形周壁部９と環状壁部１０に跨って内側に膨隆する厚肉部１ａを形成し、該厚肉部１ａに位置して相互に嵌着される開口部８の内周面８ａと環状壁部１０の外周面１０ａを容器１の中心軸線Ｃと平行して該厚肉部１ａを縦断するラインＬに沿わせて形成しているので、中空体２の周壁６を圧縮するように押圧したとき、収容室(7)は好適に収縮されるが、厚肉部(1a)は、変形することがない。このため、中空体２と栓体３の両者をゴム製として着脱容易に挿着した構成でありながらも、上述のように周壁６を弾性復元して収容室７を膨張させている間、外気が吸引されるような隙間が発生することはなく、卵黄Ｅ１を好適に吸引することができるという効果がある。
【図面の簡単な説明】
【００１４】
【図１】本発明の１実施形態を示しており、（Ａ）は外観を示す正面図、（Ｂ）は中央縦断面図である。
【図２】本発明の１実施形態に係る卵黄抽出器具を分解状態で示す断面図である。
【図３】卵黄抽出器具の使用方法に関して、卵殻から取出された卵黄及び卵白に対して、ユーザが中空体を押圧変形させて吸引口を卵黄に近づけている状態を示す断面図である。
【図４】卵黄抽出器具の使用方法に関して、卵黄を吸引口に吸引中の状態を示しており、（Ａ）は全体を示す断面図、（Ｂ）は部分拡大を示す断面図である。
【図５】卵黄抽出器具の使用方法に関して、吸引した卵黄が収容室に収容された状態を示す断面図である。
【図６】中空体の保形周壁部と栓体の環状壁部に跨る厚肉部の構成に関して、（Ａ）は厚肉部を示す拡大断面図、（Ｂ）は作用を示す断面図である。
【発明を実施するための形態】
【００１５】
以下図面に基づいて本発明の好ましい実施形態を詳述する。
【００１６】
図１及び図２に示すように、卵黄抽出器具の全体を構成する容器１は、中空体２と、栓体３と、キャップ４により構成され、それぞれ合成ゴム又は天然ゴム、好ましくはシリコーンゴムにより成形されている。この際、容器１は、中空体２と栓体３とキャップ４を結合した状態で、図示のように、全体形状により卵殻と同様の外観を表すように形成することが好ましい。
【００１７】
前記中空体２は、底壁５と周壁６により卵黄を収容可能とする収容室７を形成し、上部に卵黄の直径よりも大径の内径Ｄ１とされた開口部８を備えると共に、該開口部８の周囲の肉厚を分厚くすることにより保形周壁部９を形成している。
【００１８】
上述のように中空体２は、弾性ゴム（好ましくはシリコーンゴム）により成形されており、従って、ユーザが指先で摘まむことにより周壁６を押圧して弾性変形すると、収容室７が収縮され、その後、前記押圧を減じると、周壁６が弾性復元することにより、収容室７が収縮状態から復元形状まで膨張する。このように周壁６が容易に弾性変形するのに対して、保形周壁部９は、容易に変形せず、前記収容室７の収縮と膨張を繰り返して行うときでも、その間、図示のような原形を保持するように構成されている。
【００１９】
前記栓体３は、前記開口部８に着脱自在に挿着される環状壁部１０と、該環状壁部１０から次第に外径を減じながら延びる狭窄壁部１１を形成し、狭窄壁部１１の先端に卵黄の直径よりも小径かつ卵黄を通過自在とする内径Ｄ２とされた吸引口１２を開口している。従って、環状壁部１０を中空体２の開口部８に挿着した状態で、吸引口１２と中空体２の収容室７が相互に連通する。
【００２０】
上述のように栓体３は、弾性ゴム（好ましくはシリコーンゴム）により成形されており、この際、中空体２と栓体３のそれぞれを異なる硬さのゴムにより形成し、中空体２のゴム硬度に対して、栓体３のゴム硬度を高い硬度とするように構成することが好ましい。つまり、中空体２の周壁６が容易に弾性変形するのに対して、栓体３は、容易に変形せず、前記収容室７の収縮と膨張を繰り返して行うときでも、その間、図示のような原形を保持するように構成されていることが好ましい。
【００２１】
ところで、吸引口１２は、後述のように、卵黄を密着状態で通過させるので、その通過の際に卵黄を損傷させないように構成することが望ましい。このため、栓体３は、弾性ゴム（好ましくはシリコーンゴム）により形成されている。更には、図示のように吸引口１２の内周縁１２ａに丸みを形成することが好ましい。
【００２２】
図６（Ａ）に示すように、中空体２の保形周壁部９と栓体３の環状壁部１０の断面形状は、外側表面が卵殻形状を表す半径Ｒ１で規定される円弧に沿って連なり、内側表面が前記半径Ｒ１よりも小さい半径Ｒ２で規定される円弧Ｕに沿って連なるように形成されており、これにより、保形周壁部９と環状壁部１０に跨って内側に膨隆する厚肉部１ａが形成されている。そして、この厚肉部１ａを縦断するラインＬに沿って容器１の中心軸線Ｃと平行に開口部８の内周面８ａと環状壁部１０の外周面１０ａが形成されている。
【００２３】
この際、前記中空体２の開口部８の内周面８ａと、該開口部８に挿着される栓体３の環状壁部１０の外周面１０ａの相互には、嵌脱自在な複数条の嵌着溝１３ａ、１３ｂと嵌着リブ１４ａ、１４ｂが周設されている。このため、環状壁部１０を開口部８に圧入すると、嵌着溝１３ａと嵌着リブ１４ａの相互と、嵌着溝１３ｂと嵌着リブ１４ｂの相互がそれぞれ無理嵌め状態で密着する。従って、図６（Ｂ）に示すように、中空体２の周壁６を強くかつ大きく弾性変形させたときでも、収容室７は好適に収縮されるが、厚肉部１ａは、変形させられないので、開口部８と環状壁部１０の間に隙間が発生することはない。つまり、中空体２と栓体３の両者を弾性ゴム製として着脱容易に挿着すると共に吸引口１２により卵黄Ｅ１を損傷させない構成でありながらも、内周面８ａと外周面１０ａが前記ラインＬに沿って厚肉部１ａの内部で嵌着されているので、周壁６を弾性復元して収容室７を膨張させている間、外気が吸引されるような隙間が発生することはなく、卵黄Ｅ１を好適に吸引することができるように構成されている。
【００２４】
前記キャップ４は、栓体３の吸引口１２に挿脱自在に挿着される挿着部１５と、前記吸引口１２を閉塞する閉塞部１６と、該閉塞部１６から外向きに突設された摘み片１７を備えている。キャップ４は、上述のように弾性ゴム（好ましくはシリコーンゴム）により成形されており、これにより、挿着部１５を吸引口１２に圧入したとき、相互の弾性的接触ないし摩擦抵抗により、挿着状態を保持する。
【００２５】
図３ないし図５は、中空体２の開口部８に栓体３の環状壁部１０を挿着した容器１により構成された卵黄抽出器具の使用法を示している。
【００２６】
図３に示すように、ユーザは、割殻した卵殻から取出した卵黄Ｅ１及び卵白Ｅ２を皿等の食器に載せた後、中空体２の周壁６を指先で摘まんで押圧することにより弾性変形させ、収容室７を収縮した状態で、吸引口１２を卵黄Ｅ１に臨ませる。
【００２７】
吸引口１２を卵黄Ｅ１に当接させた後、図４に示すように、前記指先による押圧を減じると、周壁６が弾性復元することにより、収容室７が収縮状態から復元形状まで膨張する。これにより、卵黄Ｅ１は、吸引口１２の内周縁１２ａに密着した状態で、図示のように瓢箪形に変形させられながら吸引される。
【００２８】
上述のように、中空体２の開口部８の周囲には保持周壁部９が形成され、栓体３の環状壁部１０は弾性変形し難い硬度のゴムにより形成され、しかも、開口部８と環状壁部１０は相互に複数条の嵌着溝１３ａ、１３ｂと嵌着リブ１４ａ、１４ｂを密着状態で嵌着しているので、周壁６を弾性復元して収容室７を膨張させている間、外気が吸引されるような隙間が発生することはなく、卵黄Ｅ１を好適に吸引することができる。
【００２９】
しかも、栓体３を弾性ゴムにより形成すると共に吸引口１２の内周縁１２ａに丸みを形成しておけば、瓢箪形に変形させられる卵黄Ｅ１の薄膜裂傷等の損傷を生じることはなく、卵黄Ｅ１を吸引口１２に密着状態で通過させることができ、このため、卵黄Ｅ１に付着した卵白Ｅ２は、吸引口１２の内周縁１２ａにより好適に削ぎ落とされる。
【００３０】
その結果、図５に示すように、卵白Ｅ２から完全分離された卵黄Ｅ１だけが無傷の状態で収容室７に吸引され、これにより、卵黄Ｅ１の抽出作業が終了する。
【００３１】
図示省略しているが、卵黄Ｅ１を調理に供する際は、中空体２から栓体３を取外せば該中空体２の開口部８が開放されるので、該開口部８を介して収容室７から卵黄Ｅ１を脱出させ所望の調理器に移すことができる。
【００３２】
尚、使用後は、中空体２と栓体３を分離した状態で、外側面及び内側面を簡単容易に洗浄することができるので、洗浄後、再び中空体２に栓体３を装着すると共に、吸引口１２をキャップ４により閉蓋した状態で、保管すれば良い。
【符号の説明】
【００３３】
１  容器
２  中空体
３  栓体
４  キャップ
５  底壁
６  周壁
７  収容室
８  開口部
９  保形周壁部
１０  環状壁部
１１  狭窄壁部
１２  吸引口
１２ａ  内周縁
１３ａ、１３ｂ  嵌着溝
１４ａ、１４ｂ  嵌着リブ
Ｅ１  卵黄
Ｅ２  卵白
【手続補正３】
【補正対象書類名】図面
【補正対象項目名】図６
【補正方法】追加
【補正の内容】
【図６】
2018122018.tif 000008